【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
式Ａのランダム混合置換基ポリ（ホスファゼン）化合物であって、構造（ｉ）〜（ｉｉｉ）
【化１】
2008513593.tif 000001
（式中：
Ｒ1、Ｒ2及びＲ3は、アルキル、アルキルエーテル又は炭水化物ベースの側鎖であり、それらは、ニトロ、ニトラミン、硝酸エステル又はアジド官能基を含むエネルギー官能基を含み、
Ｘ＝Ｃ１〜Ｃ２０のフルオロアルコキシ基、又はＣ１〜Ｃ２０のフルオロアルコキシエーテル、
３＜ｎ＜１００００）
の１以上を有するが、（ｉ）に限らないｎ単位の組み合わせを含むことを特徴とする化合物。
【請求項２】
Ｒ1が、Ｃ1-18（アルキル）ＣＨ（ＯＮＯ2）ＣＨ2（ＯＮＯ2）；Ｃ1-18（アルキル）ＣＨ（Ｎ3）ＣＨ2（Ｎ3）；Ｃ1-19（アルキル）ＣＨ2（ＯＮＯ2）；Ｃ1-19（アルキル）ＣＨ2（Ｎ3）；ＣＨ2Ｃ（ＣＨ3）（ＣＨ2ＯＮＯ2）2であり、Ｒ2は、Ｃ1-18（アルキル）ＣＨ（ＯＮＯ2）ＣＨ2（ＯＮＯ2）；Ｃ1-18（アルキル）ＣＨ（Ｎ3）ＣＨ2（Ｎ3）；Ｃ1-19（アルキル）ＣＨ2（ＯＮＯ2）；Ｃ1-19（アルキル）ＣＨ2（Ｎ3）；ＣＨ2Ｃ（ＣＨ3）（ＣＨ2ＯＮＯ2）2であり、Ｒ3は、Ｃ1-18（アルキル）ＣＨ（ＯＮＯ2）ＣＨ2（ＯＮＯ2）；Ｃ1-18（アルキル）ＣＨ（Ｎ3）ＣＨ2（Ｎ3）；Ｃ1-19（アルキル）ＣＨ2（ＯＮＯ2）；Ｃ1-19（アルキル）ＣＨ2（Ｎ3）；ＣＨ2Ｃ（ＣＨ3）（ＣＨ2ＯＮＯ2）2であり、Ｘ＝ＯＣＨ2ＣＦ3；ＯＣＨ2ＣＦ2ＣＦ3；ＯＣＨ2（ＣＦ2）3ＣＦ3であり、５＜ｎ＜３００である請求項１に記載のランダム混合置換基ポリ（ホスファゼン）化合物。
【請求項３】
式Ｂのポリ（ホスファゼン）ホモポリマー化合物であって、構造（ｉｉｉ）
【化２】
2008513593.tif 000002
（式中、Ｒ2＝Ｒ3であり、３＜ｎ＜１００００である）のｎ単位を含むことを特徴とする化合物。
【請求項４】
Ｒ2が、Ｃ1-18（アルキル）ＣＨ（ＯＮＯ2）ＣＨ2（ＯＮＯ2）；Ｃ1-18（アルキル）ＣＨ（Ｎ3）ＣＨ2（Ｎ3）；Ｃ1-19（アルキル）ＣＨ2（ＯＮＯ2）；Ｃ1-19（アルキル）ＣＨ2（Ｎ3）；ＣＨ2Ｃ（ＣＨ3）（ＣＨ2ＯＮＯ2）2であり、Ｒ3が、Ｃ1-18（アルキル）ＣＨ（ＯＮＯ2）ＣＨ2（ＯＮＯ2）；Ｃ1-18（アルキル）ＣＨ（Ｎ3）ＣＨ2（Ｎ3）；Ｃ1-19（アルキル）ＣＨ2（ＯＮＯ2）；Ｃ1-19（アルキル）ＣＨ2（Ｎ3）；ＣＨ2Ｃ（ＣＨ3）（ＣＨ2ＯＮＯ2）2であり、５＜ｎ＜３００である請求項３に記載のポリ（ホスファゼン）ホモポリマー化合物。
【請求項５】
トリフルオロエトキシ／２，３−ジニトラトプロパン−１−オキシポリホスファゼン（ＰＺ８）、トリフルオロエトキシ／３，４−ジニトラトブタン−１−オキシポリホスファゼン（ＰＺ９）、トリフルオロエトキシ／５，６−ジニトラトヘキサン−１−オキシポリホスファゼン（ＰＺ１０）、トリフルオロエトキシ／２−ニトラトエトキシポリホスファゼン（ＰＺ１１）、トリフルオロエトキシ／２−メチル−３−ニトロオキシ−２−ニトロオキシメチル−プロパン−１−オキシポリホスファゼン（ＰＺ１２）、１Ｈ，１Ｈ−ペルフルオロプロパン−１−オキシ／２，３−ジニトラトプロパン−１−オキシポリホスファゼン（ＰＺ１３）、１Ｈ，１Ｈ−ペルフルオロペンタン−１−オキシ／２，３−ジニトラトプロパン−１−オキシポリホスファゼン（ＰＺ１４）、トリフルオロエトキシ／６−アジドヘキサン−１−オキシポリホスファゼン（ＰＺ１５）又はトリフルオロエトキシ／５，６−ジアジドヘキサン−１−オキシポリホスファゼン（ＰＺ１６）である請求項１又は２に記載のランダム混合置換基ポリ（ホスファゼン）化合物。
【請求項６】
ポリ[ビス−（２−ニトラトエトキシ）ホスファゼン]（ＰＺ２０）、ポリ[ビス−（２，３−ジニトラトプロパン−１−オキシ）ホスファゼン]（ＰＺ２１）、ポリ[ビス−（３，４−ジニトラトブタン−１−オキシ）ホスファゼン]（ＰＺ２２）、ポリ[ビス−（３−アジドプロパン−１−オキシ）ホスファゼン]（ＰＺ２３）又はポリ[ビス−（６−アジドヘキサン−１−オキシ）ホスファゼン]（ＰＺ２４）である請求項３又は４に記載のポリ（ホスファゼン）ホモポリマー化合物。
【請求項７】
火薬類、花火組成物又は発射組成物のための成分又は共−結合剤又はエネルギー結合剤としての請求項１又は２に記載のランダム混合置換基ポリ（ホスファゼン）化合物の使用。
【請求項８】
火薬類、花火組成物又は発射組成物のための成分又は共−結合剤又はエネルギー結合剤としての請求項３又は４に記載のポリ（ホスファゼン）ホモポリマー化合物の使用。
【請求項９】
火薬類としての請求項１又は２記載のランダム混合置換基ポリ（ホスファゼン）化合物の使用。
【請求項１０】
火薬類としての請求項３又は４記載のポリ（ホスファゼン）ホモポリマー化合物の使用。
【請求項１１】
式Ａのランダム混合置換基ポリ（ホスファゼン）化合物の合成方法であって、以下の工程、
（ａ）（ｉ）ペンダントフルオロアルコキシ又はフルオロアルコキシエーテル基で置換可能なポリ（ホスファゼン）先駆物質を作り出し又は(ａ)（ｉｉ）ペンダントクロロ基で置換可能なポリ（ホスファゼン）先駆物質を作り出す工程、
（ｂ）エネルギー官能基又はエネルギー官能基に対する先駆物質又は保護エネルギー先駆物質のいずれかを保有するＣ2−Ｃ20のペンダント基先駆物質を作り出す工程、及び
（ｃ）（ｉ）（ｂ）において記載される先駆物質のＣ2−Ｃ20のペンダント基を、ポリ（ホスファゼン）主鎖に、そのアルコキシド誘導体を使用して化学的に結合させて、適切に置換されたポリホスファゼンにおいてフルオロアルコキシ又はフルオロアルコシキシエーテル基のランダム求核置換を達成し又は
（ｃ）（ｉｉ）（ｂ）において記載される先駆物質のＣ2−Ｃ20のペンダント基を、遊離アルコール又はそのアルコキシド誘導体のいずれかを使用して、化学的に結合させて、クロロ置換ポリホスファゼンにおけるクロロ基の部分的な置換を次いでフルオロアルコール又はそのアルコキシド誘導体での残りのクロロ基の引き続く置換又はその逆を達成する工程、
を含むことを特徴とする方法。
【請求項１２】
フルオロアルコキシ基が、トリフルオロエトキシ基を含む請求項１１に記載の方法。
【請求項１３】
フルオロアルコキシ基が、１Ｈ，１Ｈ−ペルフルオロプロパン−１−オキシ基又は１Ｈ，１Ｈ−ペルフルオロペンタン−１−オキシ基を含む請求項１１に記載の方法。
【請求項１４】
(a)(i)のポリホスファゼン先駆物質が、ポリ[ビス（トリフルオロエトキシ）ホスファゼン]から成る請求項１１に記載の方法。
【請求項１５】
(a)(ii)のポリホスファゼン先駆物質が、ポリ[ジクロロホスファゼン]から成る請求項１１に記載の方法。
【請求項１６】
工程（ｃ）の結合が、トリフルオロエトキシ基のランダム求核置換を介してなされる請求項１１又は１４に記載の方法。
【請求項１７】
工程（ｃ）の結合が、クロロ基の置換を介してなされる請求項１１又は１５に記載の方法。
【請求項１８】
前記方法が、工程（ｄ）ニトレート化により硝酸エステル誘導体を作り出す工程を更に含み、そこで、上の（ｂ）において記載されるアルコキシド先駆物質は、保護ヒドロキシル基又は保護１，２−ジオール又はニトレート化可能なエネルギー先駆物質を保有し、該工程（ｄ）のニトレート化剤が、硝酸、Ｎ2Ｏ5、混合硫酸／硝酸又は硝酸／無水酢酸である請求項１１〜１７のいずれか１項に記載の方法。
【請求項１９】
工程（ｂ）での置換可能なペンダント基先駆物質が、（２，２−ジメチル−[１，３]−ジオキソラン−４−イル）−メタノール、（２，２−ジメチル−[１，３]−ジオキソラン−４−イル）−エタノール、（２，２−ジメチル−[１，３]−ジオキソラン−４−イル）−ブタノール、２−ピラニルオキシエタノール、（３−メチル−オキセタン−３−イル）−メタノール、６−アジド−ヘキサン−１−オール又は５，６−ジアジド−ヘキサン−１−オールである請求項１４、１６又は１８のいずれか１項に記載の方法。
【請求項２０】
工程（ｂ）での置換可能なペンダント基先駆物質が、（２，２−ジメチル−[１，３]−ジオキソラン−４−イル）−メタノール及び次いで１Ｈ，１Ｈ−ペルフルオロプロパノール又は１Ｈ，１Ｈ−ペルフルオロペンタノールを含む請求項１５、１７又は１８記載の方法。
【請求項２１】
トリフルオロエトキシ／（２，２−ジメチル−[１，３]−ジオキソラン−４−イル）−メトキシポリホスファゼン（ＰＺ１）、トリフルオロエトキシ／（２，２−ジメチル−[１，３]−ジオキソラン−４−イル）−エトキシポリホスファゼン（ＰＺ２）、トリフルオロエトキシ／（２，２−ジメチル−[１，３]−ジオキソラン−４−イル）−ブタン−１−オキシポリホスファゼン（ＰＺ３）、トリフルオロエトキシ／２−ピラニルオキシ−エトキシポリホスファゼン（ＰＺ４）、トリフルオロエトキシ／（３−メチル−オキセタン−３−イル）−メトキシポリホスファゼン（ＰＺ５）、１Ｈ，１Ｈ−ペルフルオロプロパン−１−オキシ／（２，２−ジメチル−[１，３]−ジオキソラン−４−イル）−メトキシポリホスファゼン（ＰＺ６）又は１Ｈ，１Ｈ−ペルフルオロペンタン−１−オキシ／（２，２−ジメチル−[１，３]−ジオキソラン−４−イル）−メトキシポリホスファゼン（ＰＺ７）である請求項１１に記載の方法により得られる式Ａのランダム混合置換基エネルギーポリ（ホスファゼン）。
【請求項２２】
式Ｂのポリ（ホスファゼン）ホモポリマーの合成方法であって、以下の工程、
（ａ）ペンダントクロロ基で置換可能なポリ（ホスファゼン）先駆物質を作り出す工程、
（ｂ）エネルギー官能基又はエネルギー官能基に対する先駆物質又は保護エネルギー先駆物質のいずれかを保有するＣ2−Ｃ20のペンダント基先駆物質を作り出す工程、及び
（ｃ）（ｂ）において記載される先駆物質のＣ2−Ｃ20のペンダント基を、そのアルコキシド誘導体又は遊離アルコールの方法により、クロロ基の置換を介してポリ（ホスファゼン）主鎖に化学的に結合する工程、
を含むことを特徴とする方法。
【請求項２３】
工程（ａ）のポリホスファゼン先駆物質が、ポリ（ジクロロホスファゼン）から成る請求項２２に記載の方法。
【請求項２４】
工程（ｃ）の結合が、クロロ基の置換を介してなされる請求項２２又は２３に記載の方法。
【請求項２５】
前記方法が、工程（ｄ）ニトレート化により硝酸エステル誘導体を作り出す工程を更に含み、そこで、上の（ｂ）において記載されるアルコキシド先駆物質は、保護ヒドロキシル基又は保護１，２−ジオール又はニトレート化可能なエネルギー先駆物質を保有し、該工程（ｄ）のニトレート化剤が、硝酸、Ｎ2Ｏ5、混合硫酸／硝酸又は硝酸／無水酢酸である請求項２２〜２４のいずれか１項に記載の方法。
【請求項２６】
工程（ｂ）での置換可能なペンダント基先駆物質が、（２，２−ジメチル−[１，３]−ジオキソラン−４−イル）−メタノール、（２，２−ジメチル−[１，３]−ジオキソラン−４−イル）−エタノール、２−ピラニルオキシエタノール、６−アジドヘキサン−１−オール又は３−アジドプロパン−１−オールである請求項２２〜２５のいずれか１項に記載の方法。
【請求項２７】
ポリ[ビス−（２−ピラニルオキシエトキシ）ポリホスファゼン]（ＰＺ１７）、ポリ[ビス−（２，２−ジメチル−[１，３]−ジオキソラン−４−イル）−メトキシ）ポリホスファゼン]（ＰＺ１８）又はポリ[ビス−（２，２−ジメチル−[１，３]−ジオキソラン−４−イル）−エトキシ）ポリホスファゼン]（ＰＺ１９）である請求項２２記載の方法により得られる式Ｂのポリ（ホスファゼン）ホモポリマー。